(57)【特許請求の範囲】
【請求項１】
外層袋の中に内層袋が挿入され、内容物の取り出し用の開口部近傍で前記外層袋の内面と前記内層袋の外面とが接合され、この接合された位置よりも開口部側において前記内層袋が密封され、該内層袋を反転させて内容物を取り出すバッグインボックス用内袋において、前記外層袋と前記内層袋の片方の面を貫通してスパウトが装着され、前記外層袋のスパウト周囲に易切断部が形成されていることを特徴とするスパウト付きバッグインボックス用内袋。
【請求項２】
前記外層袋のスパウト周囲に施された易切断部が、ミシン目状の切断部であることを特徴とする請求項１記載のスパウト付きバッグインボックス用内袋。
【請求項３】
請求項１または請求項２のスパウト付きバッグインボックス用内袋に、充填時には液状で取り出し時には固化する食品を、前記スパウトから充填し、取り出す際は、前記内層袋の密封を開封し、前記内層袋を反転させて固化した食品取り出すことを特徴とする内容物の取り出し方法。
【請求項４】
前記食品が、マーガリン、ファットスプレッド、ショートニング、バター、フラワーペースト、チーズ、チョコレート用油脂、ラード、牛脂、パーム油、ヤシ油またはパーム核油であることを特徴とする請求項３記載の内容物の取り出し方法。
【発明の詳細な説明】
【０００１】
【発明の属する技術分野】
本発明は、内層袋の反転が容易なスパウト付きバッグインボックス用内袋に関するものである。具体的には、袋を上下逆さにして内容物と共に内層袋を引き出して反転させることにより内容物を取り出すスパウト付きバッグインボックス用内袋において、内層袋の反転が容易なバッグインボックス用内袋に関するものである。
又、上記バッグインボックス用内袋に食品を充填し、容易に取り出す方法に関するものである。
【０００２】
【従来の技術】
従来、味噌、あんこ、フラワーペースト等の粘稠な食品、或いは、バター、マーガリン、ショートニング等の充填時には液状であるが取り出し時には固化している食品等を容易に取り出すことができるバッグインボックス用内袋としては、外層袋の中に内層袋が挿入された２重袋で、重ね合わされた両開口部近傍で外層袋の内面と内層袋の外面とが接合された袋が知られている。例えば、実公昭３７−３０１９５号公報、特開昭６２−１２２９２２号公報、更には、特許２７３３１８３号等に開示されている。
【０００３】
更に、内容物の充填をスパウトより行い、内容物の取り出しは開口部より行うスパウト付きのバッグインボックス用内袋が知られている。特に、スパウト付きのバッグインボックス用内袋は、充填時に液状体である内容物を充填させるのに好適である。
尚、これらの袋から内容物を取り出す際には、袋を上下逆さにして内容物を落下させると共に、内容物と密着している内層袋を引き出して外層袋の内面と内層袋の外面との接合部を支点として反転させる。
【０００４】
しかし、スパウト付きのバッグインボックス用内袋を上下逆さにして内容物の落下と共に内層袋を引き出すと、スパウトの取り付け場所が内層袋を反転させる時の支点となる。即ち、袋に取り付けられたスパウトの外周で、袋の中央側が支点となる。
スパウトの取り付けられた所が内層袋を反転させる時の支点になると、内容物を取り出す際に、その部分にスパウトと内層袋を引き裂く力が集中し、破袋を生じさせていた。
【０００５】
【発明が解決しようとする課題】
本発明は、スパウト付きの２重袋において、内層袋を引き出して内容物を取り出す際に、スパウトの取り付け部より内層袋の破袋を生じさせないバッグインボックス用内袋を提供しようとするものである。
又、バッグインボックス用内袋に充填された食品を容易に取り出す方法を提供しようとするものである。
【０００６】
【課題を解決するための手段】
本発明は、上記課題を解決するために次のような手段を講じた。即ち、外層袋の中に内層袋が挿入され、内容物の取り出し用の開口部近傍で外層袋の内面と内層袋の外面とが接合され、この接合された位置よりも開口部側において内層袋が密封され、内層袋を反転させて内容物を取り出すバッグインボックス用内袋において、外層袋と内層袋の片方の面を貫通してスパウトが装着され、外層袋のスパウト周囲に易切断部を設ける。好ましくは、外層袋のスパウト周囲に施された易切断部を、ミシン目状の切断部とする。更に、上記スパウト付きバッグインボックス用内袋に、充填時には液状で取り出し時には固化する食品を、前記スパウトから充填し、取り出す際は、前記内層袋の密封を開封し、前記内層袋を反転させて固化した食品を取り出す。好ましくは、食品が、マーガリン、ファットスプレッド、ショートニング、バター、フラワーペースト、チーズ、チョコレート用油脂、ラード、牛脂、パーム油、ヤシ油またはパーム核油である。
【０００７】
【発明の実施態様】
本発明の内層袋の反転が容易なスパウト付きバッグインボックス用内袋に用いられるプラスチックフィルムとしては、従来、バッグインボックス用内袋に使用されているプラスチックフィルムを使用することができる。例えば、直鎖状低密度ポリエチレン樹脂等のポリエチレン系樹脂からなるフィルムが好適に用いられる。又、強度や安全性等の面から複数枚のフィルムを重ね合わせたものが好ましい。更に、ガス遮断性樹脂層等の特殊機能を有する樹脂層を設けた積層フィルム等も好適に使用される。
【０００８】
又、本発明の内層袋の反転が容易なスパウト付きバッグインボックス用内袋に用いられる外層袋や内層袋の形状としては、従来、バッグインボックス用内袋として使用されている形状のものを用いることができる。例えば、矩形の袋状体や、角底シール部を有する袋状体等が用いられる。又、外層袋と内層袋は必ずしも同じ形状である必要はないが、開口部は同じ形状をしているものが好ましい。
特に、外層袋と内層袋が共に四方ヒートシールされた矩形の袋体であると、安価で、しかも、強度的にも優れているので好適である。
【０００９】
そして、本発明のバッグインボックス用内袋には、スパウトが取り付けられている。
スパウトの形状としては、特に限定されるものではなく、従来、液体や粘稠物等の注入口用として使用されているスパウトを用いることができる。
又、スパウトの取り付け方としても、特に限定されるものではなく、従来一般に行われている方法によって取り付けられたものが使用できる。例えば、スパウトが外層袋と内層袋の片方の面を貫通して装着されていると共に、両袋のプラスチックフィルムに熱融着されたものが好適に用いられる。
【００１０】
更に、本発明のバッグインボックス用内袋にスパウトを取り付ける位置としては、内容物を開口部より内層袋と共に落下させて取り出すので、開口部に近い位置が好ましい。具体的には、バッグインボックス用内袋の開口部より袋の中央よりに２０乃至１００ｍｍ入った所が好ましい。スパウトの取り付け場所が、バッグインボックス用内袋の開口部に余りにも隣接していると、外層袋の内面と内層袋の外面との接合部分を残して密封部を切断することが困難になる場合がある。
【００１１】
本発明の内層袋の反転が容易なスパウト付きバッグインボックス用内袋は、外層袋の中に内層袋が挿入され、外層袋の開口部と内層袋の開口部が重ね合わされている。そして、外層袋と内層袋の開口部近傍で開口縁部とスパウトの間で外層袋の内面と内層袋の外面とが接合されている。外層袋の内面と内層袋の外面との接合は、ヒートシールにより接合されるのが一般的である。
尚、外層袋の中に内層袋を挿入させるには、完成した外層袋と内層袋を用いることができるが、袋を製袋する工程で、外層袋の中に内層袋が挿入された状態に製袋することもできる。しかし、開口部近傍の外層袋の外面と内層袋の外面の接合も完成した内層袋を外層袋の中に挿入させてから行うこともできるが、袋を製袋する工程で、外層袋の内面と内層袋の外面とが接合された状態に製袋することもできる。
【００１２】
バッグインボックス用内袋にスパウトを取り付けるには、外層袋に内層袋を挿入させてから、外層袋と内層袋の所定位置を削孔し、該孔にスパウトを貫通させて熱融着により取り付けることができる。又、袋を製袋する工程で、外層袋用や内層袋用のフィルムにスパウトの取り付け用孔を削孔し、外層袋の中に内層袋が挿入された状態で、しかも、スパウトが取り付けられた状態で製袋することもできる。
【００１３】
そして、本発明の内層袋の反転が容易なスパウト付きバッグインボックス用内袋は、内層袋の開口部が密封されている。しかも、内層袋の開口部が密封されている位置は、外層袋の内面と内層袋の外面とが接合された位置よりも開口部の縁部よりの位置である。
【００１４】
又、本発明の内層袋の反転が容易なスパウト付きバッグインボックス用内袋は、内層袋の開口部がテープ状層間易剥離材を介在させて密封されていてもよい。即ち、内層袋の片方の内面にテープ状層間易剥離材の片方のヒートシール層を、内層袋のもう一方の内面にテープ状層間易剥離材のもう一方のヒートシール層を接着させて密封させる。
【００１５】
テープ状層間易剥離材としては、特開平６−２８６７５７号公報や特開平６−３２３５９号公報に記載されているテープ状層間易剥離材が使用されている。即ち、熱融着可能なヒートシール層を両最外層とし、手で剥離可能な剥離層を芯層とするテープ状層間易剥離材を使用する。尚、両最外層のヒートシール層と芯層の易剥離層との間には、耐熱性等に優れた基材層等を設けたものが好ましい。又、芯層の易剥離層は、比較的接着強度の弱い樹脂からなる部分的な樹脂層と接着剤や粘着剤からなる層を積層させたものが用いられる。更に、開封時に両最外層等が把手となるように、両最外層等の一方の端を残して芯層の剥離層を積層させているものが好ましい。
【００１６】
更に、本発明の内層袋の反転が容易なスパウト付きバッグインボックス用内袋は、スパウト周囲の外層袋に易切断部が設けられていることを最大の特徴とする。
スパウトの周囲とは、スパウトに隣接した周囲からスパウトより１００ｍｍ程度離れた位置の周囲までを意味する。又、スパウトの周囲は、円形状であっても、矩形状であってもよい。
【００１７】
又、易切断部とは、他の場所よりも切断され易い状態になっていれば、その形状については特に限定されるものではないが、一般的には、ミシン目状の切断部を有する形状が好ましい。しかも、そのミシン目は１本のみならず、複数本設けられていてもよい。
【００１８】
本発明の内層袋の反転が容易なスパウト付きバッグインボックス用内袋から、内容物を取り出す方法について説明する。
まず、バッグインボックス用内袋の開口部に設けられた密封部を切断、或いは、テープ状層間易剥離材を剥離させて開封する。尚、密封部を切断する際に、外層袋の内面と内層袋の外面との接合部分を切り離さないようにする必要がある。
【００１９】
次に、バッグインボックス用内袋を上下逆さにし、内容物を自重により内層袋と共に落下させる。その際、内容物の自重により外層袋に施されたスパウト周囲の易切断部が切断され、スパウトは外層袋から分離し、内層袋に付着した状態になる。そして、スパウトの付着した内層袋は引き出され、層袋の内面と内層袋の外面との接合部を支点にして反転される。そして、反転された内層袋の内面から内容物を剥離させて取り出す。特に、内容物が、食品、特にマーガリン、ファットスプレッド、ショートニング、バター、フラワーペースト、チーズ、チョコレート用油脂、ラード、牛脂、パーム油、ヤシ油またはパーム核油の場合、容易に取り出すことができる。又、内容物が固形物である場合には、内容物を一つの塊として取り出すことができる。
【００２０】
以下、図面を用いて、本発明の内層袋の反転が容易なスパウト付きバッグインボックス用内袋の一例を説明する。
図１は、内層袋の反転が容易なスパウト付きバッグインボックス用内袋の概略平面図である。図２は、内容物を取り出す状態を示す説明図である。
【００２１】
外層袋（１）の中に内層袋（２）が挿入され、しかも、外層袋の開口部と内層袋の開口部が重ね合わされている。
そして、内層袋の開口部が密封（３）されていると共に、スパウト（４）が開口部の近傍に取り付けられている。更に、スパウト（４）の周囲の外層袋（１）に１本のミシン目状の切断部からなる易切断部（５）が施されている。
【００２２】
【作用】
本発明の内層袋の反転が容易なスパウト付きバッグインボックスは、スパウト周囲の外層袋に易切断部が施されているので、内容物と共に内層袋を引き出される際に外層袋の該易切断部が切断し、内層袋がスパウトを付けた状態で引き出される。そして、外層袋の内面と内層袋の外面との接合部が支点となり、内層袋が反転されるので、スパウトがり付けられた場所等の荷重が掛かるようなことがなくなる。
そのため、内容物を取り出す際に、スパウトが取り付けられた内層袋の部分より破袋が生じることがない。
【００２３】
【実施例】
以下、実施例を示し、本発明の内容をより具体的に説明する。
〔実施例１〕
厚さが１００μｍの直鎖状低密度ポリエチレン樹脂フィルムからなる矩形の外袋（６２０×８２０ｍｍ）（開口部の内幅：５８０ｍｍ）に厚さが８０μｍの直鎖状低密度ポリエチレン樹脂フィルムからなる矩形の内層袋（５５０×６９５ｍｍ）（開口部の外幅：５５０）を挿入し、両開口部を重ね合わせた。そして、袋の幅方向の中央で開口部より袋の中央よりに７０ｍｍ入った位置に（スパウトの周囲と開口部の縁部との距離）に、外層袋と内層袋の片方の面を貫通させてスパウト（直径６０ｍｍ）を熱融着によって取り付けた。
又、外層袋のスパウト周囲には、直径が８０ｍｍからなる１本の円形ミシン目状の切断部からなる易切断部を設けた。
更に、内層袋の開口部を幅５ｍｍのヒートシールにて密封させると共に、開口縁部より４０ｍｍ入った位置に幅５ｍｍのヒートシールによる外層袋の内面と内層袋の外面との接合部を開口部の縁部と平行で袋の全周に設けて、内層袋の反転が容易なスパウト付きバッグインボックス用内袋を得た。
【００２４】
得られた内層袋の反転が容易なスパウト付きバッグインボックス用内袋に、流動状のマーガリン１５ｋｇをスパウトより充填し、２日間放置した。
バッグインボックス用内袋に充填されたマーガリンの取り出しは、まず、内層袋の開口部に施されているヒートシールによる密封部を切り落として開封した。そして、バッグインボックス用内袋を上下逆さにし、固形化したマーガリンと共に内層袋を引き出し、内層袋を反転させた。その際、スパウトは外層袋より分離して内層袋と共に引き出さた。そして、内層袋は、外層袋の内面と内層袋の外面との接合部を支点として反転した。
そして、反転された内層袋の内面から固形化したマーガリンを剥離して取り出した。
【００２５】
【効果】
本発明の内層袋の反転が容易なスパウト付きバッグインボックス用内袋は、袋を上下逆さにして内層袋と共に内容物を取り出す際に、内層袋のスパウト取り付け部より破袋が生じ難いので、トラブルもなく容易に内容物を取り出すことができる。
そのため、本発明のバッグインボックス用内袋に充填された食品は、内層袋のスパウトの取り付け部より破袋が生じ難いので、容易に取り出すことができる。
【図面の簡単な説明】
【図１】本発明の内層袋の反転が容易なスパウト付きバッグインボックス用内袋の一例を示す概略平面図である。
【図２】内容物を取る出す状態を示した説明図である。
【符号の説明】
１；  外層袋
２；  内層袋
３；  開口部の密封
４；  スパウト
５；  易切断部
【図１】
0004836344.tif 000002
【図２】
0004836344.tif 000003